(57)【要約】【課題】  本発明は各部品の製造が容易にでき、かつ組立ても容易で、使用者が最適にバック内を整理整頓状態で使用することができる安価なバック用小物収納具を得るにある。【解決手段】  バック内に収納することができる２枚の板材を重ねて一体となるように構成したベース板と、このベース板の少なくとも一方の板材の上部寄りの部位あるいは、該ベース板の上部に開口部を形成したベース板の板材間に上下方向に摺動できる摺動ベルトを挿入することができる少なくとも１個以上の摺動ベルト挿入孔と、この少なくとも１個以上の摺動ベルト挿入孔に挿入される摺動ベルトと、この摺動ベルトの上部に固定され、かつ上部に引き出し部が設けられた小物を収納することができるポケットとでバック用小物収納具を構成している。【選択図】  図２
2015058239.tif 000002
【特許請求の範囲】
【請求項１】
バック内に収納することができる２枚の板材を重ねて一体となるように構成したベース板と、このベース板の少なくとも一方の板材の上部寄りの部位あるいは、該ベース板の上部に開口部を形成したベース板の板材間に上下方向に摺動できる摺動ベルトを挿入することができる少なくとも１個以上の摺動ベルト挿入孔と、この少なくとも１個以上の摺動ベルト挿入孔に挿入される摺動ベルトと、この摺動ベルトの上部に固定され、かつ上部に引き出し部が設けられた小物を収納することができるポケットとからなることを特徴とするバック用小物収納具。
【請求項２】
ポケットは上部に摺動ベルトの上部が固定された板状のベース体と、このベース体の両側部に両側部が固定された少なくとも１個以上のポケット体とからなることを特徴とする請求項１記載のバック用小物収納具。
【請求項３】
ベース板のポケットが位置しない板材にシート材の３辺を固定した固定ポケットが設けられていることを特徴とする請求項１記載のバック用小物収納具。
【請求項４】
ベース板には複数個の摺動ベルト挿入孔が形成されていることを特徴とする請求項１記載のバック用小物収納具。
【発明の詳細な説明】
【技術分野】
【０００１】
本発明はバック内に収納する小物を整理整頓状態で収納することができるバック用小物収納具に関する。
【背景技術】
【０００２】
従来、バックに小物を収納する場合、バック内に設けられたポケットやポーチ状の仕分け収納具を用いたり、ベース板と小物収納ポケットを、縦ベルトと横ベルトで接続して、小物収納ポケットを上下移動できるようにしたバック収納具が考えられている。
しかしながら、バック内に設けられたポケットは固定状態で設置されているため、使用者に最適な状態で設置されているとは限らず、最適に使用することができない場合があった。
【０００３】
また、ポーチ状の仕分け収納具は複数個をバック内に収納すると、バック内が仕分け収納具がバラバラで収納された状態となり、取り出しに苦労するという欠点があった。
さらに、縦ベルトと横ベルトを用いたバック収納具は、バック内に整理整頓状態で小物を収納することができるが、構造が複雑で組立てに手数がかかり、コスト高になるという欠点があった。
【先行技術文献】
【特許文献】
【０００４】
【特許文献１】特開平１１−３２８２８号公報
【特許文献２】特開２００４−２３６９５１号公報
【特許文献３】特許第４５１６４８４号公報
【発明の概要】
【発明が解決しようとする課題】
【０００５】
本発明は以上のような従来の欠点に鑑み、各部品の製造が容易にでき、かつ組立ても容易で、使用者が最適にバック内を整理整頓状態で使用することができる安価なバック用小物収納具を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はバック内に収納することができる２枚の板材を重ねて一体となるように構成したベース板と、このベース板の少なくとも一方の板材の上部寄りの部位あるいは、該ベース板の上部に開口部を形成したベース板の板材間に上下方向に摺動できる摺動ベルトを挿入することができる少なくとも１個以上の摺動ベルト挿入孔と、この少なくとも１個以上の摺動ベルト挿入孔に挿入される摺動ベルトと、この摺動ベルトの上部に固定され、かつ上部に引き出し部が設けられた小物を収納することができるポケットとでバック用小物収納具を構成している。
【発明の効果】
【０００８】
以上の説明から明らかなように、本発明にあっては次に列挙する効果が得られる。
（１）請求項１により、バックに収納して使用することができる。
したがって、バックを自分の使用しやすい状態にして使用することができる。
（２）前記（１）により、ポケットはベース体の摺動ベルト挿入孔に摺動ベルトを挿入するだけで使用することができる。
したがって、組立て作業が容易に安価に行なうことができる。
（３）前記（１）により、バック内に収納しておけば、引き出し部を持って上方へ引き上げることにより、小物を収納したポケットを上方へ位置でき、簡単に小物を取り出すことができる。
（４）前記（１）により、構造が簡単であるので、ベース板、摺動ベルトおよびポケットの構造が容易で、安価に製造でき、全体として安価にできる。
（５）請求項２も前記（１）〜（４）と同様な効果が得られるとともに、ポケットの型崩れを防止して、確実にポケット内に小物を収納することができる。
（６）請求項３も前記（１）〜（４）と同様な効果が得られるとともに、固定ポケットによって、薄いものも楽に収納することができる。
（７）請求項４も前記（１）〜（４）と同様な効果が得られるとともに、複数個の摺動ベルト挿入孔によって、使用者の好みに応じてポケットの位置を変えて使用でき、より使用者が最適使用状態で使用することができる。
【図面の簡単な説明】
【０００９】
【図１】本発明を実施するための第１の形態の使用する時の説明図。
【図２】本発明を実施するための第１の形態の使用状態の説明図。
【図３】本発明を実施するための第１の形態の正面図。
【図４】本発明を実施するための第１の形態の背面図。
【図５】本発明を実施するための第１の形態の側面図。
【図６】図３の６−６線に沿う断面図。
【図７】本発明を実施するための第１の形態のポケットを上方へ移動した状態の説明図。
【図８】本発明を実施するための第２の形態の正面図。
【図９】本発明を実施するための第２の形態の背面図。
【図１０】本発明を実施するための第２の形態のベース板の説明図。
【図１１】本発明を実施するための第３の形態の正面図。
【図１２】本発明を実施するための第３の形態の背面図。
【図１３】本発明を実施するための第３の形態のベース板の説明図。
【図１４】本発明を実施するための第４の形態の正面図。
【図１５】本発明を実施するための第４の形態の側面図。
【図１６】本発明を実施するための第４の形態のポケットを上方へ移動した状態の説明図。
【発明を実施するための形態】
【００１０】
以下、図面に示す本発明を実施するための形態により、本発明を詳細に説明する。
【００１１】
図１ないし図７に示す本発明を実施するための第１の形態において、１は各種のバック２内に収納して、該バック２内に収納する小物３を整理整頓状態で収納することができる本発明のバック用小物収納具で、このバック用小物収納具１は図３ないし図６に示すように２枚の板材４、４を重ねて一体となるように外周部を縫着５して構成したベース板６と、このベース板６の少なくとも一方の板材４の上部寄りの部位に、縫着５より下部位置に複数個の開口部７、７、７、７を形成し、板材４、４間を上下方向に摺動できる摺動ベルトを挿入することができる摺動ベルト挿入孔８と、この摺動ベルト挿入孔８へ前記複数個の開口部７、７、７、７より挿入することができる摺動ベルト９、９、９と、この摺動ベルト９、９、９の上部に縫着１０固定された、小物３を収納することができるポケット１１、１１Ａ、１１Ｂと、このポケット１１、１１Ａ、１１Ｂの上部中央部に縫着１２固定されたリング状の引き出し用のリングとしての引き出し部１３、１３、１３と、前記ベース板６の複数個の開口部７、７、７、７が形成されていない板材４に、上部を除く部位を覆うように縫着１４固定された固定ポケット１５とで構成されている。
【００１２】
前記ポケット１１、１１Ａは上部が前記摺動ベルト９、９の上部に縫着１０固定された板状のベース体１６、１６Ａと、このベース体１６、１６Ａの両側部に両側部および下部がそれぞれ縫着１７、１７固定されたポケット体１８、１８Ａ、１８Ｂ、１８Ｃとで構成されている。
【００１３】
また、ポケット１１Ｂは上部が摺動ベルト９の上部に縫着１０固定された板状のベース体１６Ｂと、このベース体１６Ｂの両側部に、両側部および下端部に下部が縫着１７固定されたポケット体１８Ｄとで構成されている。
【００１４】
上記構成のバック用小物収納具１はベース板６の複数個の開口部７、７、７、７の任意の位置の開口部７、７、７、７に摺動ベルト９、９、９が取付けられたポケット１１、１１Ａ、１１Ｂを挿入して組立てた後、バック２内へ収納する。
【００１５】
このバック２内への収納前・後にポケット１１、１１Ａ、１１Ｂ内へバック２内に収納するための小物３、３、３をそれぞれ整理整頓状態で収納する。
【００１６】
小物３を使用する場合、引き出し部１３をつまんで上方へ引き出すと、ポケット１１、１１Ａ、１１Ｂがバック２の開口部２ａより上方へ引き出され、容易にポケット１１、１１Ａ、１１Ｂ内の小物３を取り出したり、収納することができる。
【００１７】
なお、ポケット１１、１１Ａ、１１Ｂの引き出し、押し込みによる収納時には摺動ベルト９、９、９が開口部７、７、７内を上・下方向に摺動するため、最初に設定された位置を上下移動するだけで、ポケット１１、１１Ａ、１１Ｂの収納位置が変わることがない。
【００１８】
使用してポケット１１、１１Ａ、１１Ｂの位置を変更したい場合、ポケット１１、１１Ａ、１１Ｂを摺動ベルト９とともに、ベース板６の開口部７、７、７より抜き取り、最適に使用できる部位の開口部７、７、７に摺動ベルト９、９、９を差し込むことにより、ポケット１１、１１Ａ、１１Ｂの位置を変えることができる。
【００１９】
[発明を実施するための異なる形態]
次に、図８ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図８ないし図１０に示す本発明を実施するための第２の形態において、前記本発明を実施するための第１の形態と主に異なる点は、２枚の板材４、４の上部に開口部７Ａ、７Ａ、７Ａ、７Ａができるように、重ねて一体となるように縫着５Ａしたベース板６Ａを用いた点で、このように形成したベース板６Ａを用いて構成したバック用小物収納具１Ａにしても、前記本発明を実施するための第１の形態と同様な作用効果が得られる。
【００２１】
図１１ないし図１３に示す本発明を実施するための第３の形態において、前記本発明を実施するための第２の形態と主に異なる点は、摺動ベルト９、９、９、９の上下移動できる摺動ベルト挿入孔８Ａ、８Ａ、８Ａ、８Ａができるように２枚の板材４、４を縫着５Ｂ、５Ｂ、５Ｂ、５Ｂしたベース板６Ｂを用いた点で、このように構成したベース板６Ｂを用いて構成したバック用小物収納具１Ｂにしても、本発明を実施するための第２の形態と同様な作用効果が得られる。
【００２２】
図１４ないし図１６に示す本発明を実施するための第４の形態において、前記本発明を実施するための第１の形態と主に異なる点は、摺動ベルト９、９、９の上部に、上部がベース板６の上部より上方へ突出して、引き出し時につまむことができる引き出し部１３Ａ、１３Ａ、１３Ａとなるようにベース体１６、１６Ａ、１６Ｂを縫着１０したポケット１１Ｃ、１１Ｄ、１１Ｅを用いた点で、このようなポケット１１Ｃ、１１Ｄ、１１Ｅを用いて構成したバック用小物収納具１Ｃにしても、前記本発明を実施するための第１の形態と同様な作用効果が得られる。
【産業上の利用可能性】
【００２３】
本発明はバック内に収納して使用することができるバック用小物収納具を製造する産業で利用される。
【符号の説明】
【００２４】
１、１Ａ、１Ｂ、１Ｃ：バック用小物収納具、
２：バック、        ３：小物、
４：板材、          ５、５Ａ、５Ｂ：縫着、  
６、６Ａ、６Ｂ：ベース板、  ７：開口部、
８、８Ａ：摺動ベルト挿入孔、  ９：摺動ベルト、
１０：縫着、        １１、１１Ａ、１１Ｂ：ポケット、
１２：縫着、        １３、１３Ａ：引き出し部、
１４：縫着、        １５：固定ポケット、
１６、１６Ａ、１６Ｂ：ベース体、
１７：縫着、
１８、１８Ａ、１８Ｂ、１８Ｃ、１８Ｄ：ポケット体。
【図１】
2015058239.tif 000003
【図２】
2015058239.tif 000004
【図３】
2015058239.tif 000005
【図４】
2015058239.tif 000006
【図５】
2015058239.tif 000007
【図６】
2015058239.tif 000008
【図７】
2015058239.tif 000009
【図８】
2015058239.tif 000010
【図９】
2015058239.tif 000011
【図１０】
2015058239.tif 000012
【図１１】
2015058239.tif 000013
【図１２】
2015058239.tif 000014
【図１３】
2015058239.tif 000015
【図１４】
2015058239.tif 000016
【図１５】
2015058239.tif 000017
【図１６】
2015058239.tif 000018